(57)【特許請求の範囲】
【請求項１】
冷媒の凝縮・膨張により空気調和を行う空気調和装置の室内機であって、
前側熱交換部（４１）と、前記前側熱交換部（４１）よりも有効長が短い後側熱交換部（４２）とを有し、冷媒と空気との間で熱交換を行わせる熱交換器（４ａ）と、
空気調和された空気を室内へと送るためのファンロータ（３）と、
前記前側熱交換部（４１）と前記後側熱交換部（４２）との有効長の違いにより生じるスペース（ＳＰ）に配置され、前記冷媒の流れを変える冷媒回路部品（３３ａ，３９）と、
前記スペース（ＳＰ）と前記ファンロータ（３）の周囲の空間との間に配置され、前記スペース（ＳＰ）から前記ファンロータ（３）の周囲の空間への空気の漏れ出しを防止する仕切板（４４，４５）と、
を備える空気調和装置の室内機。
【請求項２】
室外機（９２）および複数の室内機（９３〜９６）を有する空気調和装置（９１）の室内機であり、
前記スペース（ＳＰ）に配置される前記冷媒回路部品は、少なくとも、前記複数の室内機（９３〜９６）に流す冷媒の量を調整するための電動弁（３３ａ）を含む、
請求項１に記載の空気調和装置の室内機。
【請求項３】
前記仕切板（４４，４５）とともに前記スペース（ＳＰ）を囲う金属製部材（５０）をさらに備えた、
請求項１又は２に記載の空気調和装置の室内機。
【請求項４】
前記仕切板（４４，４５）は、前記ファンロータ（３）の上方に位置する上下仕切板（４４）と、前記後側熱交換部（４２）の前記スペース（ＳＰ）側の端部（４２ｂ）から前方に延びる左右仕切板（４５）とを含む、
請求項１から３のいずれかに記載の空気調和装置の室内機。
【請求項５】
前記上下仕切板（４４）と前記左右仕切板（４５）とが交差する部分から前記ファンロータ（３）の周囲の空間へとドレン水が垂れ落ちることを防止するドレン経路６３をさらに備えた、
請求項４に記載の空気調和装置の室内機。
【請求項６】
冷媒の凝縮・膨張により空気調和を行う空気調和装置の室内機であり、ペア型の空気調和装置の室内機となる場合でもマルチ型の空気調和装置の室内機となる場合でもケーシングが共通とされる室内機であって、
前側熱交換部（４１）と、前記前側熱交換部（４１）よりも有効長が短い後側熱交換部（４２）とを有し、冷媒と空気との間で熱交換を行わせる熱交換器（４ａ）と、
空気調和された空気を室内へと送るためのファンロータ（３）と、
を備え、
前記マルチ型の空気調和装置の室内機となる場合には、
前記前側熱交換部（４１）と前記後側熱交換部（４２）との有効長の違いにより生じるスペース（ＳＰ）に配置され、前記冷媒の流れを変える冷媒回路部品（３３ａ，３９）と、
前記スペース（ＳＰ）と前記ファンロータ（３）の周囲の空間との間に配置され、前記スペース（ＳＰ）から前記ファンロータ（３）の周囲の空間への空気の漏れ出しを防止する仕切板（４４，４５）と、
をさらに備える空気調和装置の室内機。
【請求項７】
前記ペア型の空気調和装置の室内機となる場合には、前記後側熱交換部と前記前側熱交換部との有効長が同じにされ、前記仕切板（４４，４５）が不要とされる、
請求項６に記載の室内機。
【発明の詳細な説明】
【０００１】
【発明の属する技術分野】
本発明は、空気調和装置の室内機、特に、熱交換器や冷媒回路部品を有し冷媒の凝縮・膨張により空気調和を行う空気調和装置の室内機に関する。
【０００２】
【従来の技術】
室内機と室外機とに分けられたセパレート式の空気調和装置には、１台の室外機に対して１台の室内機だけを接続するペア型の空気調和装置と、１台の室外機に対して並列に複数の室内機を接続するマルチ型の空気調和装置とが存在する。
図１に、ペア型の空気調和装置の外観図を示す。ここに示す空気調和装置８１では、１つの室外機８２に対して１つの室内機８３が対応づけられ、冷媒配管や伝送線から成る接続部８９によって両者８２，８３が接続されている。
【０００３】
図２に示すように、ペア型の空気調和装置の室内機は、ファンロータ３、熱交換器４、電装品箱３０などから構成されている。これらの構成部品は、前面グリル組立体１０、前面パネル１１、底フレーム１２などから構成されるケーシング内に配置される。底フレーム１２は、室内の壁面に固定される据付板１５に装着され、室内壁などに固定される。前面グリル組立体１０の上面にはスリット状の上部吸込口１０ａが設けられ、前面パネル１１にも上方および側方に前面吸込口１１ａが設けられている。これらの吸込口１０ａ，１１ａの内方には、空気清浄用のエアフィルタ１７が配置される。また、前面グリル組立体１０の前面下部には、ファンロータ３によって生成された空気流を吹き出す吹出口が形成される。
【０００４】
ファンロータ３は、底フレーム１２に形成されたファン収納部１２ａに配置され、一端が軸受１３を介して底フレーム１２に取り付けられ、他端がモータ１４の回転軸と連結される。このモータ１４は、モータ固定部材１６によって底フレーム１２に固定される。
熱交換器４は、ファンロータ３の前方、上方および後部上方を取り囲むように設けられており、ともに有効長がＬである前側熱交換部１４１と後側熱交換部１４２とに分割されている。各熱交換部１４１，１４２は、左右両端で複数回折り返された伝熱管に多数の放熱フィンが取り付けられたものであり、ファンロータ３の駆動により上部吸込口１０ａおよび前面吸込口１１ａから吸い込まれた空気をファンロータ３側に通過させ、伝熱管の内部を通過する冷媒と空気との間で熱交換を行わせるものである。熱交換器４は、冷媒配管を介して室外機からの冷媒配管と接続される。また、前側熱交換部１４１の下方には、前ドレンパンや吹き出し空気の方向を調整するための羽根などを含むドレンパン組立体１８が配置される。
【０００５】
なお、熱交換器の前側熱交換部および後側熱交換部の有効長は、必ずしも同じでなくてもよい。例えば、特開２００１−８２７９５号公報に開示されているように、熱交換器の前側熱交換部および後側熱交換部の有効長を違うものにすることも可能である。
【０００６】
【発明が解決しようとする課題】
上記の図１や図２に示すようなペア型の空気調和装置の室内機と、１台の室外機に対して並列に複数の室内機を接続するマルチ型の空気調和装置で採用される室内機とは、従来それぞれ別々に設計が行われている。このような現状に対し、最近では、ペア型の室内機とマルチ型の室内機との間でパーツ（部品）を共通化しようとする試みが為されている。ペア型とマルチ型とでは熱交換器のスペックが異なることが多いが、ケーシングの部分などを共通化することが考えられる。
【０００７】
しかし、ペア型と違い、マルチ型の空気調和装置の室内機には、複数の室内機を個別に発停したり制御したりすることから、内部に電動弁が設けられていることが多い。この電動弁は、室内機の熱交換器に流れる冷媒量を調整する役割を果たすもので、液ガス混合の状態の冷媒が膨張するときなどに比較的大きな音を発する。
【０００８】
このマルチ型の室内機に特有の部品である電動弁などの騒音源を、通常のペア型のケーシング内において配置するとすれば、ペア型の室内機において冷媒配管群が集中的に配置される熱交換器の側方の空間に配置することになる。この場合には、同じケーシングを用いるとすると、ペア型の室内機であれば異音がしなくても、マルチ型の室内機になると電動弁などからの異音が室内へと漏れ出ることが想定される。これでは、ペア型の室内機とマルチ型の室内機とでケーシング等の部品を共通化することが難しい。
【０００９】
本発明の課題は、騒音源になる電動弁などの冷媒回路部品を室内機の中に配置した場合にも、室内機の外に音が漏れ出にくい空気調和装置の室内機を提供することにある。
【００１０】
【課題を解決するための手段】
請求項１に係る空気調和装置の室内機は、冷媒の凝縮・膨張により空気調和を行う空気調和装置の室内機であって、熱交換器と、ファンロータと、冷媒回路部品と、仕切板とを備えている。熱交換器は、冷媒と空気との間で熱交換を行わせるものであって、前側熱交換部と後側熱交換部とを有している。後側熱交換部は、前側熱交換部よりも有効長が短い。ファンロータは、空気調和された空気を室内へと送る。冷媒回路部品は、冷媒の流れを変えるための部品であり、電動膨張弁や分流器などである。冷媒回路部品は、前側熱交換部と後側熱交換部との有効長の違いにより生じるスペースに配置される。仕切板は、そのスペースとファンロータの周囲の空間との間に配置され、スペースからファンロータの周囲の空間への空気の漏れ出しを防止する。
【００１１】
ここでは、まず、後側熱交換部の有効長を前側熱交換部の有効長よりも短く構成し、室内機の背面側において所定のスペースを生み出している。そして、冷媒の流れを変えるときに比較的大きな音を発する電動弁や分流器といった冷媒回路部品を、そのスペースに配置するようにしている。このように、ここでは、騒音源となる冷媒回路部品を室内機内部の背面側のスペースに配置するため、室内機の正面側に漏れ出す音の量が少なくなり、室内にいる人に不快感を与えることが抑えられる。
ただ、後側熱交換部の有効長を前側熱交換部の有効長よりも短く構成すると、普通に考えれば有効長が長い前側熱交換部にファンロータの長さを合わせることになる。このため、上記のスペース（前側熱交換部と後側熱交換部との有効長の違いにより生じるスペース）がファンロータの一部と隣接することになる。この場合に、そのスペースとファンロータとの間に何も設けなければ、熱交換器を通過せずに上記のスペースから直接ファンロータに空気が流れ込む恐れがある。
【００１２】
これに対し、請求項１に係る室内機では、冷媒回路部品が配置されるスペースとファンロータとの間に仕切板を配置しているため、熱交換器を通らない空気がファンロータに流れ込む不具合が抑えられる。
【００１３】
請求項２に係る空気調和装置の室内機は、請求項１に記載の室内機であって、室外機および複数の室内機を有する空気調和装置の室内機である。そして、後側熱交換部の有効長を前側熱交換部よりも短くしたことによるスペースに配置される冷媒回路部品は、電動弁を少なくとも含んでいる。電動弁は、複数の室内機に流す冷媒の量を調整するために設けられているものである。
ここでは、マルチ型の空気調和装置の室内機に内蔵されることが多い電動弁が、騒音を閉じこめやすい室内機内部の背面側のスペースに配置される。電動弁は、冷媒量を調整するときに比較的大きな異音を発することがあるが、ここでは室内機の外に音が漏れ出にくい上記のスペースに配置されているため、室内にいる人に異音が大きく聞こえてしまうことがなくなる。
【００１４】
請求項３に係る空気調和装置の室内機は、請求項１又は２に記載の室内機であって、冷媒回路部品が配置されるスペースを覆う金属製部材をさらに備えている。この金属製部材は、仕切板とともにスペースを囲う。
ここでは、冷媒回路部品を室内機内部の背面側のスペースに配置して室内機の正面側に漏れ出す音の量を抑えるだけではなく、さらに上記のスペースを金属製部材で覆っている。このため、樹脂製であることが多いケーシングを通過して室内機の外に漏れ出すレベルの大きな異音が冷媒回路部品から発生した場合においても、金属製部材の遮音効果によって、その異音の室内機の外への漏れ出しを小さく抑えることができる。
【００１５】
請求項４に係る空気調和装置の室内機は、請求項１から３のいずれかに記載の室内機であって、仕切板は、ファンロータの上方に位置する上下仕切板と、後側熱交換部のスペース側の端部から前方に延びる左右仕切板とを含む。
【００１６】
請求項５に係る空気調和装置の室内機は、請求項４に記載の室内機であって、上下仕切板と左右仕切板とが交差する部分からファンロータの周囲の空間へとドレン水が垂れ落ちることを防止するドレン経路をさらに備えている。
【００１７】
請求項６に係る空気調和装置の室内機は、冷媒の凝縮・膨張により空気調和を行う空気調和装置の室内機であり、ペア型の空気調和装置の室内機となる場合でもマルチ型の空気調和装置の室内機となる場合でもケーシングが共通とされる室内機であって、熱交換器と、ファンロータとを備えている。熱交換器は、前側熱交換部と、前側熱交換部よりも有効長が短い後側熱交換部とを有し、冷媒と空気との間で熱交換を行わせる。ファンロータは、空気調和された空気を室内へと送る。そして、マルチ型の空気調和装置の室内機となる場合には、冷媒回路部品と、仕切板とをさらに備えることになる。冷媒回路部品は、前側熱交換部と後側熱交換部との有効長の違いにより生じるスペースに配置され、冷媒の流れを変える。仕切板は、スペースとファンロータの周囲の空間との間に配置され、スペースからファンロータの周囲の空間への空気の漏れ出しを防止する。
【００１８】
請求項７に係る空気調和装置の室内機は、請求項６に記載の室内機であって、ペア型の空気調和装置の室内機となる場合には、後側熱交換部と前側熱交換部との有効長が同じにされ、仕切板が不要とされる。
【００１９】
【発明の実施の形態】
＜マルチ型の空気調和装置の概要＞
本発明の一実施形態に係る空気調和装置の室内機は、図３に示すようなマルチ型の空気調和装置において用いられる室内機である。このマルチ型の空気調和装置９１は、１つの室外機９２に対して複数の室内機９３〜９６が接続されるものである。室外機９２と室内機９３〜９６とは、冷媒配管や伝送線から成る接続部９９ａ〜９９ｄによって接続されている。４台の室内機９３〜９６は、例えば、家庭内やビル内、店舗内において、それぞれ別の部屋に配置される。
【００２０】
＜マルチ型の空気調和装置の冷媒回路＞
このマルチ型の空気調和装置９１の冷媒回路１９０を、図４に示す。冷媒回路１９０は、１台の室外機９２と、室外機９２に並列に接続された４台の室内機９３〜９６と、冷媒配管とにより構成されている。
室外機９２は、圧縮機２０、四路切換弁２１、室外熱交換器２２、アキュムレータ２３などを備えている。圧縮機２０の吐出側には、圧縮機２０の吐出側の吐出管温度を検知するための吐出管サーミスタ２４が取り付けられている。また、室外機９２には、外気温度を検知するための外気サーミスタ２５と、室外熱交換器２２の温度を検知するための室外熱交サーミスタ２６とが設けられている。
【００２１】
各室内機９３〜９６は、同じ構成を有している。以下、室内機９３〜９６について、室内機９３を例にとって説明する。
室内機９３は、互いに直列に接続された室内熱交換器４ａおよび電動弁（膨張弁）３３ａを備えている。電動弁３３ａは、室内熱交換器４ａの冷媒出口側に設けられており室内熱交換器４ａに流れる冷媒量を調整する。また、室内機９３は、室内温度を検知するための室温サーミスタ３１ａと、室内熱交換器４ａの温度を検知するための室内熱交サーミスタ３２ａとをそれぞれ備えている。室内熱交換器４ａと電動弁３３ａとの間の配管には、室内熱交換器４ａと電動弁３３ａとの間の液管温度を検知するための液管サーミスタ３４ａが設けられている。室内熱交換器４ａのガス管側（冷媒入口側）には、内部を通過する冷媒温度を検知するガス管サーミスタ３５ａが設けられている。
他の室内機９４，９５，９６についても室内機９３と同様の構成であり、図４において、室内熱交換器、電動弁、各種サーミスタに対して同等の記号を付している。
【００２２】
＜室内機における部品構成および部品配置＞
上記のように、マルチ型の空気調和装置９１で使用される室内機９３〜９６は、電動弁３３ａ〜３３ｄを内蔵している。ここでは、室内機９３を例にとって、マルチ型の空気調和装置で使われる室内機について部品の配置を中心にして説明を行う。
【００２３】
室内機９３では、図５および図６に示すように、ファンロータ３の前方、上方、および後方の一部を覆う室内熱交換器４ａが、主として前側熱交換部４１および後側熱交換部４２から構成されている。後側熱交換部４２は、前側熱交換部４１よりも有効長が短く、そのモータ１４側の端部４２ｂが前側熱交換部４１の端部４１ｂよりも室内機９３の幅方向中央部分寄りに位置している（図５参照）。これにより、後側熱交換部４２の外側（モータ１４側の側方）には、比較的大きいスペースＳＰが確保される。このスペースＳＰの幅寸法は、前側熱交換部４１と後側熱交換部４２との有効長の差と概ね同じ寸法であり、１００ｍｍ〜１５０ｍｍとなっている。
【００２４】
また、室内機９３では、前側熱交換部４１の上端４１ａと後側熱交換部４２の上端４２ａとが少し離れる構造が採られており、その間は接続板４３が張られている。この接続板４３は、前側熱交換部４１と後側熱交換部４２とを室内熱交換器４ａとして一体化してするとともに、室内熱交換器４ａの上方から下方のファンロータ３へと前側熱交換部４１や後側熱交換部４２を通ることなく空気が素通りしてしまうことを防止する役割を果たす。
【００２５】
そして、室内機９３では、前側熱交換部４１と後側熱交換部４２との有効長の違いにより生み出されたスペースＳＰに、電動弁３３ａ、電動弁３３ａに接続される冷媒配管１３３、電動弁３３ａを出た冷媒を室内熱交換器４ａの各伝熱流路に分流させる分流器３９などを配置している。電動弁３３ａは、図５に示すように、メンテナンス性の向上を図るため、横向けで配置されている。
【００２６】
さらに、室内機９３では、電動弁３３ａなどが配置されるスペースＳＰを、金属カバー５０と、上下仕切板４４と、左右仕切板４５とにより囲っている。金属カバー５０は、スペースＳＰの上方を覆う第１カバー部５１と、第１カバー部５１の前端から前側熱交換部４１の前面に沿って斜め下方に延びる第２カバー部５２と、第１カバー部５１の後端から斜め下方に延びスペースＳＰの後方の覆う第３カバー部５３とが一体に形成された板金部材である。この金属カバー５０は、主として遮音の目的で設けられている。一方、上下仕切板４４および左右仕切板４５は、スペースＳＰに流れ込んだ空気のファンロータ側への漏れ出しを防止するために設けられている金属製の板状部材である。上下仕切板４４は、ファンロータ３の上方に位置し、ファンロータ３の周囲のスペースと電動弁３３ａ等が配置されるスペースＳＰとを仕切っている。左右仕切板４５は、後側熱交換部４２のスペースＳＰ側の端部４２ｂから垂直に前方に延びる略三角形の部材であり、各辺が後側熱交換部４２の端部４２ｂ、接続板４３のスペースＳＰ側の端部、および上下仕切板４４の端部と直交するように接している。
【００２７】
また、前側熱交換部４１の下端の下方には前ドレンパン６１が、後側熱交換部４２の下端の下方には後ドレンパン６２が、それぞれ配置されている。これらのドレンパン６１，６２は、図２の従来の底フレーム１２およびドレンパン組立体１８と同様の構成を有する底フレームやドレンパン組立体に形成されているものであり、室内熱交換器４ａ等から垂れ落ちるドレン水を受ける役割を果たす。そして、室内機９３では、スペースＳＰを囲う上記の上下仕切板４４や左右仕切板４５、後側熱交換部４２のスペースＳＰ側の端部４２ｂが交差する部分からドレン水がファンロータ３に対して垂れ落ちないように、その部分の下方にドレン経路６３を形成している。このドレン経路６３は、上下仕切板４４と左右仕切板４５との交差部分において、金属板（上下仕切板４４の一部、左右仕切板４５の一部、あるいは、これらの仕切板４４，４５に装着される別部材）を湾曲させて断面がポケット状になる構造としたものである。これにより、後側熱交換部４２の端部４２ｂから左右仕切板４５を伝って降りてきたドレン水や、圧力差によりスペースＳＰから隙間を伝って上下仕切板４４と左右仕切板４５との交差部分からファンロータ３側にしみ出てきたドレン水が、ドレン経路６３に導かれてドレンパン６２に流れ込むようになる（図６参照）。
【００２８】
＜室内機の特徴＞
（１）
室内機９３では、まず、後側熱交換部４２の有効長を前側熱交換部４１の有効長よりも短く構成し、室内機９３の背面側において所定のスペースＳＰを生み出している。そして、冷媒の流れを変えるときに比較的大きな音を発する電動弁３３ａや分流器１３３といった冷媒回路部品を、そのスペースＳＰに配置するようにしている。このように、室内機９３の後ろ側に電動弁３３ａなどの騒音源を配置することができているため、音の指向性から判断して、室内にいる人に聞こえる騒音レベルが小さく抑えられるようになる。
【００２９】
（２）
室内機９３では、電動弁３３ａ等の騒音源となる冷媒回路部品を室内機９３の背面側のスペースＳＰに配置して室内機９３の正面側に漏れ出す音の量を抑えるだけではなく、さらにスペースＳＰを金属カバー４３で覆っている。したがって、樹脂製であることが多いケーシングを通過して室内機９３の外に漏れ出すレベルの大きな異音が電動弁３３ａなどから発生した場合においても、金属カバー４３の遮音効果によって、その異音が室内機９３の外へ漏れ出すことが抑制される。
【００３０】
なお、電動弁３３ａをパテやゴムで覆う従来からの遮音対策も併用することが望ましい。
（３）
室内機９３では、後側熱交換部４２の有効長を前側熱交換部４１の有効長よりも短く構成しているため、前側熱交換部４１の有効長に対応しているファンロータ３の長さは、後側熱交換部４２よりも長くなっている。これにより、スペースＳＰは、ファンロータ３のモータ１４側の一部分の上方に位置するようになっている。
【００３１】
この場合に、スペースＳＰとファンロータ３との間に何も設けなければ、室内熱交換器４ａの各熱交換部４１，４２のいずれをも通過せずにスペースＳＰから直接ファンロータ３へと空気が流れ込む恐れがある。
これに対し、室内機９３では、電動弁３３ａ等が配置されるスペースＳＰとファンロータ３との間に上下仕切板４４および左右仕切板４５を配置しているため、室内熱交換器４ａを通らない空気がファンロータ３に流れ込む不具合が抑えられている。
【００３２】
（４）
室内機９３では、上下仕切板４４により空気がスペースＳＰからファンロータ３へと降りてくることを防ぎ、左右仕切板４５により空気がスペースＳＰから前側熱交換部４１と後側熱交換部４２の端部４２ｂとの間を通ってファンロータ３へと流れることを防止している。そして、図６に示すように、上下仕切板４４および左右仕切板４５の下端がドレンパン６２の上方に位置しているため、後側熱交換部４２の端部４２ｂなどから水滴が仕切板４４，４５に流れたときにも、その水がドレンパン６２に流れ込む。
【００３３】
また、ファンロータ３より短い後側熱交換部４２の端部４２ｂや両仕切板４４，４５の交差部分から圧力差などにより隙間を介してファンロータ３側に出るドレン水は、ドレン経路６３によってドレンパン６２へと導かれる。このため、上記のようにスペースＳＰを設けて仕切板４４，４５によってスペースＳＰを囲った場合においても、ドレン水がファンロータ３へと垂れ落ちる不具合が抑えられる。
【００３４】
（５）
室内機９３は、電動弁３３ａを備えており、そのままルームエアコン等のペア型の空気調和装置に流用することは考えにくい。しかし、室内機９３の室内熱交換器４ａをペア型の室内機用の室内熱交換器と取り替えられるように構造を設計し、ケーシングの部分についてマルチ型とペア型とで共通化を図ることは可能である。
【００３５】
例えば、ケーシングを共通としておいて、業務用で使われることの多いマルチ型の室内機においては上記の室内機９３のように前側熱交換部と後側熱交換部との有効長が異なる室内熱交換器をセットし、ペア型の室内機においては前側熱交換部と後側熱交換部との有効長が同じ室内熱交換器をセットするように設計を行うことができる。
【００３６】
【発明の効果】
請求項１に係る室内機では、後側熱交換部の有効長を前側熱交換部の有効長よりも短く構成し、室内機の背面側において所定のスペースを生み出している。そして、冷媒の流れを変えるときに比較的大きな音を発する電動弁や分流器といった冷媒回路部品を、そのスペースに配置するようにしている。このため、室内機の正面側に漏れ出す音の量が少なくなり、室内にいる人に不快感を与えることが抑えられる。また、請求項１に係る室内機では、冷媒回路部品が配置されるスペースとファンロータとの間に仕切板を配置しているため、熱交換器を通らない空気がファンロータに流れ込む不具合が抑えられる。
【００３７】
請求項２に係る室内機では、マルチ型の空気調和装置の室内機に内蔵されることが多い電動弁が、騒音を閉じこめやすい室内機内部の背面側のスペースに配置される。電動弁は、冷媒量を調整するときに比較的大きな異音を発することがあるが、ここでは室内機の外に音が漏れ出にくい上記のスペースに配置されているため、室内にいる人に異音が大きく聞こえてしまうことがなくなる。
【００３８】
請求項３に係る室内機では、冷媒回路部品を室内機内部の背面側のスペースに配置して室内機の正面側に漏れ出す音の量を抑えるだけではなく、さらに上記のスペースを金属製部材で覆っている。このため、樹脂製であることが多いケーシングを通過して室内機の外に漏れ出すレベルの大きな異音が冷媒回路部品から発生した場合においても、金属製部材の遮音効果によって、その異音の室内機の外への漏れ出しを小さく抑えることができる。
【図面の簡単な説明】
【図１】  従来におけるペア型の空気調和装置の外観斜視図。
【図２】  従来における室内機の組立分解図。
【図３】  本発明の一実施形態に係る室内機を含むマルチ型の空気調和装置の概略図。
【図４】  マルチ型の空気調和装置の冷媒回路を示す図。
【図５】  室内機のモータ側部分の内部斜視図。
【図６】  室内機の断面概略図。
【符号の説明】
３    ファンロータ
４ａ  室内熱交換器
３３ａ  電動弁（冷媒回路部品）
３９    分流器（冷媒回路部品）
４１    前側熱交換部
４２    後側熱交換部
４４    上下仕切板（上下仕切部）
４５    左右仕切板（左右仕切部）
５０    金属カバー（金属製部材）
６２    後ドレンパン（ドレンパン）
６３    ドレン経路
９１    空気調和装置
９２    室外機
９３〜９６    室内機
ＳＰ    スペース
【図１】
0003731067.tif 000002
【図２】
0003731067.tif 000003
【図３】
0003731067.tif 000004
【図４】
0003731067.tif 000005
【図５】
0003731067.tif 000006
【図６】
0003731067.tif 000007